(57)【特許請求の範囲】
【請求項１】
機体内に設けられた熱源部と、前記熱源部で加熱された空気を対流するためのファンと、前記熱源部で加熱された空気を温風として送出する機体前面に開口する温風送出口と、前記温風送出口に装着され、送出される温風の方向を調整し、かつ加熱部への物体等の侵入を防ぐためのルーバとを備えた温風暖房機において、
前記ルーバは、金属板の表面に耐熱性短繊維の植毛を付着することにより熱伝導防止処理を施し、前記植毛を付着するためのバインダーに黒色の染料を含有させたものであり、該ルーバに、前記熱源部で燃焼しているかどうかを確認するための燃焼確認窓が設けられていることを特徴とする温風暖房機。
【請求項２】
前記植毛を付着するためのバインダーに消臭性の触媒を含有させたことを特徴とする請求項１に記載の温風暖房機。
【請求項３】
機体内に設けられた熱源部と、前記熱源部で加熱された空気を対流するためのファンと、前記熱源部で加熱された空気を温風として送出する機体前面に開口する温風送出口と、前記温風送出口に装着され、送出される温風の方向を調整し、かつ加熱部への物体等の侵入を防ぐためのルーバとを備えた温風暖房機において、
前記ルーバには、前記熱源部で燃焼しているかどうかを確認するための燃焼確認窓が設けられており、
前記ルーバの表面に、金属板の表面に耐熱性短繊維の植毛を付着することにより熱伝導防止処理を施し、前記植毛を付着するためのバインダーに黒色の染料を含有させ、前記燃焼確認窓に対応した開口を設けたルーバカバーを取付けたことを特徴とする温風暖房機。
【請求項４】
温風暖房機のルーバの表面に取付けるルーバカバーであって、
金属板の表面に耐熱性短繊維の植毛を付着することにより熱伝導防止処理を施し、前記植毛を付着するためのバインダーに黒色の染料を含有させ、前記ルーバに設けられた燃焼確認窓に対応した開口を設けたルーバカバー。
【発明の詳細な説明】
【０００１】
【発明の属する技術分野】
本発明は、外部から空気を取込んで熱源で加熱し、加熱した空気を温風として送出する温風暖房機に関する。
【０００２】
【従来の技術】
従来、石油ファンヒータやガスファンヒータと呼ばれる温風暖房機が知られている。これらのファンヒータは、石油やガスの燃焼を利用した加熱部と空気の流れを生み出すファンとを備え、ファンの生み出す空気の流れにより、外部の空気を取込むと共に加熱部で加熱された空気を温風として送出して暖房するという機器である。
【０００３】
この種の温風暖房機は、温風の送出口にルーバと呼ばれる風の向きを調整するための金属製の部材が備えられている。このルーバは、高温の空気が直接に長時間に渡って吹付けられるため加熱されつづけ、手指等で触れると火傷する虞のあるほどまでに温度が上昇してしまう。そこで、火傷等の事故防止のために、ルーバの前方すなわち機体本体の前面に保護カバーを着脱できるように構成し、その保護カバーにアラミド系繊維、ポリアミド系繊維等の耐熱性短繊維を静電植毛により付着させて熱伝導防止処理を施した温風暖房機が知られている（特許第２５７６９３５号公報、特許第２７３４４４９号公報参照）。
【０００４】
【発明が解決しようとする課題】
ところが、上述した従来の温風暖房機では、ルーバの前方に保護カバーを取付けるために暖房機本体の奥行きが増してしまい、暖房機本体が大きなものとなってしまう。また、保護カバーや保護カバーを取付けるための部品が必要となると共に、保護カバーを取付けるための構造も必要となるため、製造コストも高くなってしまう。
【０００５】
本発明は、上記課題を解決するためになされたものであり、暖房機本体の大きさを小型化すると共に製造コストを低くし、また、火傷等の事故を防止することができる温風暖房機を提供することを目的とする。
【０００６】
【課題を解決するための手段】
上記目的を達成するために請求項１の発明は、機体内に設けられた熱源部と、前記熱源部で加熱された空気を対流するためのファンと、前記熱源部で加熱された空気を温風として送出する機体前面に開口する温風送出口と、前記温風送出口に装着され、送出される温風の方向を調整し、かつ加熱部への物体等の侵入を防ぐためのルーバとを備えた温風暖房機において、前記ルーバは、金属板の表面に耐熱性短繊維の植毛を付着することにより熱伝導防止処理を施し、前記植毛を付着するためのバインダーに黒色の染料を含有させたものであり、該ルーバに、前記熱源部で燃焼しているかどうかを確認するための燃焼確認窓が設けられているものとした。
【０００７】
この構成においては、温風送出口から送出される温風はルーバにより方向が調整され、ルーバは温風が吹付けられることにより高温に加熱される。このとき、手や指がルーバに触れたとしても、ルーバは金属板の表面に植毛を付着したものであるため手や指がその金属板に直接触れることはなく、ルーバに触れた手や指は金属板の表面に付着している植毛による熱伝導防止効果により高熱を感じることがない。しかも、植毛を付着するためのバインダーに黒色の染料を含有させているため、植毛の付着されたルーバは黒く着色される。また、ルーバに燃焼確認窓が設けられているため、燃焼確認窓を通して、機体内部の熱源部で燃焼している炎を容易に見ることができる。
【０００８】
また、請求項２の発明は、請求項１に記載の温風暖房機において、植毛を付着するためのバインダーに消臭性の触媒を含有させた。この構成においては、温風送出口から送出される温風は、ルーバにより方向が調整される際にバインダーに含有されている消臭性の触媒と作用し、消臭されて送出される。
【０００９】
また、請求項３の発明は、機体内に設けられた熱源部と、前記熱源部で加熱された空気を対流するためのファンと、前記熱源部で加熱された空気を温風として送出する機体前面に開口する温風送出口と、前記温風送出口に装着され、送出される温風の方向を調整し、かつ加熱部への物体等の侵入を防ぐためのルーバとを備えた温風暖房機において、前記ルーバには、前記熱源部で燃焼しているかどうかを確認するための燃焼確認窓が設けられており、ルーバの表面に、金属板の表面に耐熱性短繊維の植毛を付着することにより熱伝導防止処理を施し、前記植毛を付着するためのバインダーに黒色の染料を含有させ、前記燃焼確認窓に対応した開口を設けたルーバカバーを取付けたものとした。
【００１０】
この構成においては、温風送出口から送出される温風はルーバにより方向が調整され、ルーバは温風が吹付けられることにより高温に加熱される。このとき、ルーバの表面にはルーバカバーが取付けられているので、手や指は高温に加熱されたルーバに触れることがない。また、手や指がルーバカバーに触れたとしても、手や指は、ルーバカバーの表面に付着している植毛による熱伝導防止効果により高熱を感じることがない。しかも、植毛を付着するためのバインダーに黒色の染料を含有させているため、植毛の付着されたルーバカバーは黒く着色される。また、ルーバに燃焼確認窓が設けられ、ルーバカバーに燃焼確認窓に対応した開口が設けられているため、開口及び燃焼確認窓を通して、機体内部の熱源部で燃焼している炎を容易に見ることができる。
【００１１】
また、請求項４の発明は、温風暖房機のルーバの表面に取付けるルーバカバーであって、金属板の表面に耐熱性短繊維の植毛を付着することにより熱伝導防止処理を施し、前記植毛を付着するためのバインダーに黒色の染料を含有させ、前記ルーバに設けられた燃焼確認窓に対応した開口を設けたものとした。
【００１２】
この構成においては、金属板の表面に耐熱性短繊維の植毛を付着したルーバカバーが温風暖房機のルーバの表面に取付けられる。これにより、手や指は高温に加熱されたルーバに触れることがない。また、手や指がルーバカバーに触れたとしても、手や指は、ルーバカバーの表面に付着している植毛による熱伝導防止効果により高熱を感じることがない。しかも、植毛を付着するためのバインダーに黒色の染料を含有させているため、植毛の付着されたルーバカバーは黒く着色される。また、ルーバカバーに燃焼確認窓に対応した開口が設けられているため、開口及び燃焼確認窓を通して、機体内部の熱源部で燃焼している炎を容易に見ることができる。
【００１３】
【発明の実施の形態】
以下、本発明を具体化した実施形態について図面を参照して説明する。まず、本実施形態による温風暖房機の概略構成を図１及び図２に示す。温風暖房機１の機体２の上部には、燃焼、消火、温度調整、及び風力調整等の操作をするための操作パネル３が設けられている。
【００１４】
機体２の内部には、石油を燃焼し空気を加熱するためのバーナー（熱源部）４と、バーナー４で加熱された空気を対流するための対流用ファン５と、石油を貯蓄しておく貯蓄タンク（不図示）とが備えられている。機体２の背面には、バーナー４で加熱するための空気を取入れるための温風用空気取入口７と、バーナー４で石油を燃焼する際に必要な酸素を取入れるための燃焼用ファン６と燃焼用空気取入口８とが設けられている。
【００１５】
機体２の前面には、バーナー４で加熱した空気を温風として送出するための温風送出口９が開口されていて、この温風送出口９には、温風の方向を調整しかつ機体２の内部への物体等の侵入を防ぐためのルーバ１０がビス１１により装着されている。ルーバ１０にはバーナー４が燃焼しているかどうかを確認するための燃焼確認窓１２が設けられており、また、ルーバ１０の表面には耐熱性短繊維の静電植毛による熱伝導防止処理が施されている。また、機体２の前面には、天井や床面の輻射熱をキャッチし、室内が所定の温度となるように送風量と燃焼量を自動的に調整するための輻射センサ１３が設けられている。
【００１６】
操作パネル３により燃焼操作すると、バーナー４が着火されバーナー４で石油が燃焼されると共に、対流用ファン５が回転する。これにより、空気が対流し、外部の空気が機体２の内部に取入れられてバーナー４で加熱され、バーナー４で加熱された空気が温風として温風送出口９から送出される。このとき、温風送出口９から送出される温風は、ルーバ１０に吹付けられ、ルーバ１０の働きにより方向が調整される。また、操作パネル３により温度調整の操作をすると、石油の燃焼量が調整されて温度が調整され、風量調整の操作をすると、対流用ファン５の回転速度が調整されて風量が調整される。操作パネル３により消火操作すると、バーナー４が消火され、対流用ファン５も停止する。
【００１７】
上記構成の温風暖房機１に装着されるルーバ１０は、図３に示すように、複数のルーバ１０が裏板１４に取付けられて組立てられたものとなっており、また、その表面に耐熱性短繊維の静電植毛による熱伝導防止処理が施されている。このルーバ１０の組立体は、以下のような手順で組立てられ耐熱性短繊維の静電気植毛による熱伝導防止処理が施された後、機体２に装着される。
【００１８】
各ルーバ１０は金属板で構成されており、プレスによる曲げ加工により略Ｌ字状に折り曲げておく。また、複数のルーバ１０のうちの幾つかには、プレスによる打ち抜き加工により燃焼確認窓１２を設けておく。本実施形態においては、１番上と上から２番目の２つのルーバ１０にそれぞれ燃焼確認窓１２を設けておく。一方、裏板１４は金属板で構成されており、機体２の温風送出口９に対応した開口１５を設けておき、また、機体２にビス１１で装着するためのビス孔１６を設けておく。そして、この裏板１４に、各ルーバを１０を順次スポット溶接又はかしめ等を行い、ルーバ１０の組立体をつくる。
【００１９】
次に、この組立体を洗浄・脱脂した後に乾燥させ、周知の静電気植毛技術により、表面に短繊維の植毛を付着させる。すなわち、ルーバ１０の組立体にバインダー（接着剤）を塗布し、静電ブース内でルーバ１０の組立体に高電圧をかけ０．６ｍｍ程度の長さにカットした短繊維を降らせることにより、ルーバ１０の組立体の表面に短繊維の植毛を付着させる。
【００２０】
このとき、植毛する短繊維としては、メタ系のポリアミド系繊維、レーヨン、スフ、又はポリエステル系繊維を用いる。こららの繊維には、２５０〜２６０°Ｃの耐熱性がある。バーナー４で加熱されルーバ１０に吹付けられる空気の温度は２００°Ｃ程度の高温であるが、メタ系のポリアミド系繊維、レーヨン、スフ、又はポリエステル系繊維はそれ以上の耐熱性があるので、バーナー４で加熱された空気が吹付けられて植毛が損傷することはない。なお、２００°Ｃ以上の温度に対する耐熱性のある繊維であれば、これらの以外の繊維を用いても構わない。この植毛により、例えルーバ１０の金属板が高熱であったとしても、植毛されている短繊維のために手や指がルーバ１０の金属表面に直に触れることはなく、また、植毛されている短繊維と短繊維間の空気層による熱伝導防止効果のために、ルーバ１０に触れた手や指は高熱を感じることがない。
【００２１】
また、バインダーには、ルーバ１０への塗布工程において、予め酸化チタン、白金、パラジウム、酸化アルミナ等の触媒物質を含ませておく。これらの触媒物質は、２００°Ｃ近傍で消臭効果をもたらす触媒として作用する物質である。これにより、バーナー４で石油を燃焼させたときに発生するＮＯｘ（窒素酸化物）やＳＯｘ（硫黄酸化物）等の臭い性物質は、バーナー４で加熱された空気と共にルーバ１０に吹付けられたときにバインダーに含まれている触媒の作用により消臭される。
【００２２】
また、バインダーには、ルーバ１０への塗布工程において、黒色の染料としてカーボン等の物質を含ませておく。これにより、ルーバ１０に付着した植毛は黒っぽい色に見える。こうすることにより、燃焼確認窓１２から機体２の内部のバーナー４で燃焼している炎が見易くなり、バーナー４の燃焼を確認し易くなる。また、黒色のルーバ１０の植毛された表面から効率良く遠赤外線が輻射される。さらに、黒色のルーバ１０は製品の高級感をもたらす。
【００２３】
このように組立てられ耐熱性短繊維の静電気植毛による熱伝導防止処理が施されたルーバ１０の組立体は、裏板１４の開口１５を機体２の温風送出口９に合致させて、ビス孔１６によりビス１１で機体２に装着される。
【００２４】
上記のように構成したので、手や指がルーバ１０に触れたとしても、ルーバ１０に触れた手や指は、植毛されている短繊維のためにルーバ１０の金属表面に直に接触することがなく、また、植毛されている短繊維と短繊維間の空気層による熱伝導防止効果のために高熱を感じることがない。また、ルーバ１０に熱伝導防止処理を施しているので、ルーバ１０の前方に保護カバーを取付ける必要がない。
【００２５】
また、温風送出口９から送出される温風は、ルーバ１０により方向が調整されるときに、ルーバ１０に植毛を付着するためのバインダーに含まれている消臭性の触媒物質と作用するので、臭いが抑えられる。また、ルーバ１０は、黒く着色されているので、燃焼確認窓１２から機体２の内部のバーナー４で燃焼している炎が見易くなり、バーナー４の燃焼を確認し易くなる。また、黒色のルーバカバー１７の植毛された表面から効率良く遠赤外線が輻射される。さらに、黒色のルーバカバー１７は製品の高級感をもたらす。
【００２６】
次に、本発明を具体化した別の実施形態について説明する。図４に示すように、本実施形態においては、ルーバ１０には短繊維の植毛による熱伝導防止処理は施さず、別部材のルーバカバー１７に短繊維の植毛を付着して熱伝導防止処理を施し、このルーバカバー１７をルーバ１０の表面に取付ける構成とした。本実施形態における他の構成については、上記の実施形態における構成と同様であり、その説明は省略する。
【００２７】
ルーバカバー１７は、金属板で構成されており、ルーバカバー１７の裏面の両横側にルーバ１０に取付けるためのピン２０を設ける。また、燃焼確認窓１２が設けれているルーバ１０へ取付けるものには、プレスによる打ち抜き加工により、ルーバ１０の燃焼確認窓１２に対応した開口１９を設ける。次に、このルーバカバー１７を洗浄・脱脂した後に乾燥させ、周知の静電気植毛技術により、表面に短繊維の植毛を付着させる。すなわち、ルーバカバー１７にバインダー（接着剤）を塗布し、静電ブース内でルーバカバー１７に高電圧をかけ０．６ｍｍ程度の長さにカットした短繊維を降らせることにより、ルーバカバー１７の表面に短繊維の植毛を付着させる。
【００２８】
このとき、植毛する短繊維としては、メタ系のポリアミド系繊維、レーヨン、スフ、又はポリエステル系繊維を用いる。こららの繊維には、２５０〜２６０°Ｃの耐熱性がある。ルーバカバー１７の表面には、バーナー４で加熱された２００°Ｃ程度の高温の空気が吹付けられるが、メタ系のポリアミド系繊維、レーヨン、スフ、又はポリエステル系繊維はそれ以上の耐熱性があるので、ルーバカバー１７に付着したこれらの繊維からなる植毛は損傷することはない。なお、２００°Ｃ以上の温度に対する耐熱性のある繊維であれば、これらの以外の繊維を用いても構わない。この植毛により、例えルーバカバー１７の金属板が高熱であったとしても、植毛されている短繊維のために手や指がルーバカバー１７の金属表面に直に触れることはなく、また、植毛されている短繊維と短繊維間の空気層による熱伝導防止効果のために、ルーバカバー１７に触れた手や指は高熱を感じることがない。
【００２９】
また、バインダーには、ルーバカバー１７への塗布工程において、予め酸化チタン、白金、パラジウム、酸化アルミナ等の触媒物質を含ませておく。これらの触媒物質は、２００°Ｃ近傍で消臭効果をもたらす触媒として作用する物質である。これにより、バーナー４で石油を燃焼させたときに発生するＮＯｘ（窒素酸化物）やＳＯｘ（硫黄酸化物）等の臭い性物質は、バーナー４で加熱された空気と共にルーバカバー１７に吹付けられたときにバインダーに含まれている触媒の作用により消臭される。
【００３０】
また、バインダーには、ルーバカバー１７への塗布工程において、黒色の染料としてカーボン等の物質を含ませておく。これにより、ルーバカバー１７に付着した植毛は黒っぽい色に見える。こうすることにより、開口１９から機体２の内部のバーナー４で燃焼している炎が見易くなり、バーナー４の燃焼を確認し易くなる。また、黒色のルーバカバー１７の植毛された表面から効率良く遠赤外線が輻射される。さらに、黒色のルーバカバー１７は製品の高級感をもたらす。
【００３１】
この様に作られたルーバカバー１７は、ルーバ１０に設けられたピン孔２１に嵌め込むことにより各ルーバ１０に取付けられる。このとき、接着剤を用いて取付けたルーバカバー１７がルーバ１０から取外せないようにしてもよいし、接着剤を用いず着脱自在としてもよい。なお、ルーバカバー１７のルーバ１０への取付けは、ルーバ１０の組立体を機体２へ装着する前に行うこともできるし、機体２へ装着した後に行うこともできる。また、ルーバ１７を、温風暖房機１の出荷後に後付けできるオプションとすることもできる。
【００３２】
また、ルーバカバー１７は、図５に示すように、ルーバカバー１７の両横側に金属板を裏側に折り曲げて形成したフック部１８を設けたものでもよい。この構成においては、ルーバカバー１７は、図６に示すように、フック部１８でルーバ１０を挟持することにより、各ルーバ１０の表面に取付けられる。この構成においても、接着剤用いて取付けたルーバカバー１７がルーバ１０から取外せないようにしてもよいし、接着剤を用いず着脱自在としてもよい。また、ルーバカバー１７のルーバ１０への取付けは、ルーバ１０の組立体を機体２へ装着する前に行うこともできるし、機体２へ装着した後に行うこともできる。また、ルーバ１７を、温風暖房機１の出荷後に後付けできるオプションとすることもできる。
【００３３】
上記のように構成したので、ルーバカバー１７を取付けることにより、手や指が高温に加熱されたルーバ１０に触れることがない。手や指がルーバカバー１７に触れることがあったとしても、手や指は、ルーバカバー１７の表面には短繊維の植毛が付着しているのでルーバカバー１７の金属表面に直に接触することがなく、また、植毛されている短繊維と短繊維間の空気層による熱伝導防止効果のために高熱を感じることがない。また、熱伝導防止処理を施したルーバカバー１７をルーバ１０に取付けることにより、ルーバ１０の前方に保護カバーを取付ける必要がなくなる。
【００３４】
また、温風送出口９から送出される温風は、ルーバカバー１７に吹付けられるときにルーバカバー１７に植毛を付着するためのバインダーに含まれている消臭性の触媒物質と作用するので、臭いが抑えられる。また、ルーバカバー１７は、黒く着色されているので、開口１９から機体２の内部のバーナー４で燃焼している炎が見易くなり、バーナー４の燃焼を確認し易くなる。また、黒色のルーバカバー１７の植毛された表面から効率良く遠赤外線が輻射される。さらに、黒色のルーバカバー１７は製品の高級感をもたらす。
【００３５】
本発明は、上記実施形態の構成に限られず、種々の変形が可能である。例えば、上記実施形態において、石油の燃焼により空気を加熱する代わりに、ガスの燃焼や電気ヒータにより空気を加熱してもよい。また、ルーバの向きを手動又は電動により調整可能なようにしてもよい。また、バインダーにカーボンを含ませて植毛を黒く着色する代わりに、機体の色と同じ色の染料を含ませて、植毛を機体の色と同じ色に着色してもよい。
【００３６】
【発明の効果】
以上説明したように請求項１の発明によれば、手や指がルーバに触れたとしても、ルーバに触れた手や指は金属板の表面に付着している植毛による熱伝導防止効果により高熱を感じることがなく、火傷等をすることがない。このため、ルーバの前方に保護カバーを取付ける必要がないので奥行きが小さくなる。また、保護カバーや保護カバーを取付けるための部品が不要であると共に、保護カバーを取付けるための構造も不要であるため、製造コストが低くなる。さらに、温風暖房機本体に元来取付けられているルーバ自体に熱伝導防止処理を施しているので、使用者の誤った使用方法による火傷等の事故を防止できる。しかも、植毛を付着するためのバインダーに含有された黒色の染料によりルーバが黒く着色されるので、（１）ルーバの表面から効率良く遠赤外線が輻射され、（２）製品の高級感をもたらし、（３）ルーバ間の隙間から、機体内部の熱源部で燃焼している炎が見え易く、熱源部で燃焼しているかどうかを確認し易い。また、ルーバに設けられた燃焼確認窓を通して、機体内部の熱源部で燃焼している炎を容易に見ることができるため、熱源部で燃焼しているかどうかを確認し易い。
【００３７】
また、請求項２の発明によれば、温風はルーバを通過するときに消臭性の触媒と作用し、臭いが抑えられる。
【００３８】
また、請求項３の発明によれば、ルーバカバーがルーバの表面に取付けられているので手や指は高温に加熱されたルーバに触れることがなく、また、手や指がルーバカバーに触れたとしてもルーバカバーの表面に付着している植毛による熱伝導防止効果により高熱を感じることがないので、火傷等をすることがない。このため、ルーバの前方に保護カバーを取付ける必要がないので奥行きが小さくなる。しかも、植毛を付着するためのバインダーに含有された黒色の染料によりルーバカバーが黒く着色されるので、（１）ルーバカバーの表面から効率良く遠赤外線が輻射され、（２）製品の高級感をもたらし、（３）ルーバカバー間の隙間から、機体内部の熱源部で燃焼している炎が見え易く、熱源部で燃焼しているかどうかを確認し易い。また、ルーバカバーに設けられた開口及びルーバに設けられた燃焼確認窓を通して、機体内部の熱源部で燃焼している炎を容易に見ることができるので、熱源部で燃焼しているかどうかを確認し易い。
【００３９】
また、請求項４の発明によれば、ルーバカバーを温風暖房機のルーバの表面に取付けることにより手や指が高温に加熱されたルーバに触れることがなくなり、また、手や指がルーバカバーに触れたとしてもルーバカバーの表面に付着している植毛による熱伝導防止効果により高熱を感じることがないので、火傷等をすることがなくなる。このため、耐熱性短繊維の植毛を付着することにより熱伝導防止処理を施したルーバカバーを温風暖房機のルーバの表面に取付けることより、温風暖房機のルーバの前方に保護カバーを取付ける必要がなくなるので、温風暖房機の奥行きを小さくすることができる。しかも、植毛を付着するためのバインダーに含有された黒色の染料によりルーバカバーが黒く着色されるので、（１）ルーバカバーの表面から効率良く遠赤外線が輻射され、（２）製品の高級感をもたらし、（３）ルーバカバー間の隙間から、機体内部の熱源部で燃焼している炎が見え易く、熱源部で燃焼しているかどうかを確認し易い。また、ルーバカバーに設けられた開口及びルーバに設けられた燃焼確認窓を通して、機体内部の熱源部で燃焼している炎を容易に見ることができるので、熱源部で燃焼しているかどうかを確認し易い。
【図面の簡単な説明】
【図１】  本発明の一実施形態による温風暖房機の概略構成を示す斜視図。
【図２】  同装置の概略構成を示す断面図。
【図３】  同装置のルーバの組立体の概略構成を示す斜視図。
【図４】  本発明の別の実施形態によるルーバカバーの概略構成を示す斜視図。
【図５】  本発明の別の実施形態によるルーバカバーの概略構成を示す斜視図。
【図６】  同ルーバカバーをルーバに取付けた状態を説明する図。
【符号の説明】
１  温風暖房機
２  機体
４  バーナー（熱源部）
５  ファン
９  温風送出口
１０  ルーバ
１７  ルーバカバー
【図１】
0004290351.tif 000002
【図２】
0004290351.tif 000003
【図３】
0004290351.tif 000004
【図４】
0004290351.tif 000005
【図５】
0004290351.tif 000006
【図６】
0004290351.tif 000007